(57)【要約】  空気調和装置の室内機は、吸込口と吹出口とを有する筐体と、吹出口に配置された１以上の上下風向板と、吸込口と吹出口とを連通する第１風路と、吹出口の左右端部のうち少なくとも一方に形成され、第１風路に隣接した第２風路と、を備え、上下風向板の左右幅は、第１風路及び第２風路に至る長さであり、上下風向板の送風案内面における第１風路と第２風路との境界に、第１風路の風の流れ方向に立設したリブを有する。
2019180781.tif 000002
【特許請求の範囲】
【請求項１】
吸込口と吹出口とを有する筐体と、
前記吹出口に配置された１以上の上下風向板と、
前記吸込口と前記吹出口とを連通する第１風路と、
前記吹出口の左右端部のうち少なくとも一方に形成され、前記第１風路に隣接した第２風路と、
を備え、
前記上下風向板の左右幅は、前記第１風路及び前記第２風路に至る長さであり、
前記上下風向板の送風案内面における前記第１風路と前記第２風路との境界に、前記第１風路の風の流れ方向に立設したリブを有する空気調和装置の室内機。
【請求項２】
前記リブは、前記境界上に前記第１風路と前記第２風路とにわたって設けられる請求項１に記載の空気調和装置の室内機。
【請求項３】
前記リブは、風上側から風下側に前記筐体の左右方向外側に向かって傾斜する請求項１又は２に記載の空気調和装置の室内機。
【請求項４】
前記リブにおける前記第１風路の風上側から風下側に至る仮想線に対する傾斜角度θは、５０°＜θ＜９０°を満たす請求項３に記載の空気調和装置の室内機。
【請求項５】
前記リブは、前記上下風向板が全開の状態で、前記第１風路の側壁に重ならずに前記側壁から前記筐体の正面方向に連続する形状である請求項１〜４のいずれか１項に記載の空気調和装置の室内機。
【請求項６】
前記リブは、前記上下風向板が全開の状態で、前記第１風路の側壁端と前記上下風向板の前記送風案内面とにわたる形状である請求項１〜５のいずれか１項に記載の空気調和装置の室内機。
【請求項７】
前記リブは、前記上下風向板が全開の状態で、前記第１風路の側壁端に対する対向辺を前記側壁端と隣接して平行に形成される請求項１〜６のいずれか１項に記載の空気調和装置の室内機。
【請求項８】
前記リブは、前記上下風向板の前記送風案内面における風上端から風下端に至る全体に形成される請求項１〜７のいずれか１項に記載の空気調和装置の室内機。
【請求項９】
前記リブは、隣接部品と干渉しない最大形状である請求項１〜８のいずれか１項に記載の空気調和装置の室内機。
【請求項１０】
前記第２風路は、前記筐体の内側に凹んだ凹部空間を形成し、
前記第２風路内には、前記上下風向板の左右方向端部に設けられた回動軸が配置され、
前記回動軸は、前記上下風向板の前記送風案内面から前記筐体側に離間して形成され、前記上下風向板が全開の状態で、前記上下風向板の前記送風案内面における風上端を前記第１風路の側壁端に隣接させるように回動する請求項１〜９のいずれか１項に記載の空気調和装置の室内機。
【請求項１１】
前記上下風向板は、２つ設けられ、
２つの前記上下風向板にそれぞれ設けられた前記リブの双方は、２つの前記上下風向板の双方の回動範囲内で干渉しない形状である請求項１〜１０のいずれか１項に記載の空気調和装置の室内機。
【請求項１２】
請求項１〜１１のいずれか１項に記載の空気調和装置の室内機を備える空気調和装置。
【発明の詳細な説明】
【技術分野】
【０００１】
本発明は、吹出口を備えた空気調和装置の室内機及び空気調和装置に関する。
【背景技術】
【０００２】
従来の空気調和装置の室内機では、筐体内部の右側に電装部品が配置されている関係上、左右方向の吹出幅が短くなる。そのため、吹出口の右側端部に疑似風路である第２風路が設けられ、吸込口から通じる第１風路から第２風路にわたって上下風向板の左右方向長さが拡大されていた。これにより、空気調和装置の室内機は、左右への吹き分け性能が向上されるとともに、吹出口の外観の非対称性が緩和されて外観意匠性が向上されていた。【０００３】
上記のように左右への吹き分け性能を向上させるために、上下風向板の送風案内面に吹出し風向ガイドが設けられ、吹出し風をより左右方向外側に案内しようとする技術がある（たとえば、特許文献１参照）。
【先行技術文献】
【特許文献】
【０００４】
【特許文献１】特開２０１３−１５３１１号公報
【発明の概要】
【発明が解決しようとする課題】
【０００５】
しかしながら、特許文献１の技術における風向ガイドでは、左右への吹き分け性能を向上できるのが吹出し風速がある程度確保されている箇所に限定されてしまう。そのため、吹出し風が吹出されない第２風路の箇所において、左右への吹き分け性能の改善効果が望めない。【０００６】
また、第２風路は、吹出口の第１風路の側壁を短縮して形成される。このため、第１風路の風路長が短く、第１風路の側壁端から第２風路が連通する。つまり、第２風路の形成に起因し、第１風路の側壁が短くなる。それにより、第１風路内にて静圧が回復せず、第１風路内の動圧の上昇に伴い、ファンモータ入力あるいは騒音が増加し、送風性能が悪化する。【０００７】
本発明は、上記課題を解決するためのものであり、外観意匠性及び左右への吹き分け性能が悪化せずに、第１風路内の静圧を回復させてファンモータ入力あるいは騒音が低減し、送風性能が改善できる空気調和装置の室内機及び空気調和装置を提供することを目的とする。
【課題を解決するための手段】
【０００８】
本発明に係る空気調和装置の室内機は、吸込口と吹出口とを有する筐体と、前記吹出口に配置された１以上の上下風向板と、前記吸込口と前記吹出口とを連通する第１風路と、前記吹出口の左右端部のうち少なくとも一方に形成され、前記第１風路に隣接した第２風路と、を備え、前記上下風向板の左右幅は、前記第１風路及び前記第２風路に至る長さであり、前記上下風向板の送風案内面における前記第１風路と前記第２風路との境界に、前記第１風路の風の流れ方向に立設したリブを有するものである。【０００９】
本発明に係る空気調和装置は、上記の空気調和装置の室内機を備えるものである。
【発明の効果】
【００１０】
本発明に係る空気調和装置の室内機及び空気調和装置によれば、上下風向板の送風案内面における第１風路と第２風路との境界に、第１風路の風の流れ方向に立設したリブを有する。これにより、リブが第１風路の側壁の機能を担うことにより、第２風路が形成されることによって短くなっていた第１風路の側壁からその側壁の風下側に仕切りが延長できる。そのため、第１風路にて静圧が回復できる。したがって、外観意匠性及び左右への吹き分け性能が悪化せずに、第１風路内の静圧を回復させてファンモータ入力あるいは騒音が低減し、送風性能が改善できる。
【図面の簡単な説明】
【００１１】
【図１】本発明の実施の形態１に係る空気調和装置を示す冷媒回路図である。
【図２】本発明の実施の形態１に係る空気調和装置の室内機を示す外観斜視図である。
【図３】本発明の実施の形態１に係る空気調和装置の室内機を示す縦断面図である。
【図４】本発明の実施の形態１に係る空気調和装置の室内機の図２のＡ部を拡大して示す斜視図である。
【図５】本発明の実施の形態１に係る空気調和装置の室内機を示す図４の矢印Ｂからの矢視図である。
【図６】本発明の実施の形態１に係る空気調和装置の室内機を示す図５の矢印Ｃからの矢視図である。
【図７】本発明の実施の形態１に係る空気調和装置の室内機を示す図４の矢印Ｄからの矢視図である。
【図８】本発明の実施の形態１に係る空気調和装置の室内機おける上下風向板が全閉した状態を示す図４の矢印Ｄからの矢視図である。
【図９】本発明の実施の形態１に係る空気調和装置の室内機おける上下風向板が全閉した状態と全開した状態とにわたる回動範囲を示す図４の矢印Ｄからの矢視図である。
【発明を実施するための形態】
【００１２】
以下、図面に基づいて本発明の実施の形態について説明する。なお、各図において、同一の符号を付したものは、同一の又はこれに相当するものであり、これは明細書の全文において共通している。また、断面図の図面においては、視認性に鑑みて適宜ハッチングを省略している。さらに、明細書全文に示す構成要素の形態は、あくまで例示であってこれらの記載に限定されるものではない。
【００１３】
実施の形態１．
＜空気調和装置１００の構成＞
図１は、本発明の実施の形態１に係る空気調和装置１００を示す冷媒回路図である。図１に示す空気調和装置１００は、室外機１０１と室内機１０２とをガス冷媒配管１０３及び液冷媒配管１０４によって接続されている。
【００１４】
室外機１０１は、圧縮機１０５、四方弁１０６、室外熱交換器１０７及び膨張弁１０８を有する。
【００１５】
圧縮機１０５は、吸入した冷媒を圧縮して吐出する。圧縮機１０５は、たとえばインバータ回路などにより、運転周波数を任意に変化させ、圧縮機１０５の単位時間あたりの冷媒を送り出す容量を変化させてもよい。
【００１６】
四方弁１０６は、たとえば冷房運転時と暖房運転時とによって冷媒の流れを切り換える弁である。
【００１７】
室外熱交換器１０７は、冷媒と室外の空気との熱交換を行う。室外熱交換器１０７は、冷房運転時に凝縮器として機能し、冷媒を凝縮して液化させる。室外熱交換器１０７は、暖房運転時に蒸発器として機能し、冷媒を蒸発させ、気化させる。
【００１８】
膨張弁１０８は、流量制御弁であり、冷媒を減圧して膨張させる。膨張弁１０８は、たとえば電子式膨張弁などで構成された場合には、図示しない制御装置などの指示に基づいて開度調整を行える。
【００１９】
室内機１０２は、室内熱交換器１０９を有する。室内熱交換器１０９は、たとえば空調対象の空気と冷媒との熱交換を行う。室内熱交換器１０９は、冷房運転時に蒸発器として機能し、冷媒を蒸発させ、気化させる。室内熱交換器１０９は、暖房運転時に凝縮器として機能し、冷媒を凝縮して液化させる。
【００２０】
以上のように空気調和装置１００を構成することにより、室外機１０１の四方弁１０６によって冷媒の流れを切り換え、冷房運転又は暖房運転が実現できる。
【００２１】
＜空気調和装置１００の室内機１０２の構成＞
図２は、本発明の実施の形態１に係る空気調和装置１００の室内機１０２を示す外観斜視図である。図３は、本発明の実施の形態１に係る空気調和装置１００の室内機１０２を示す縦断面図である。
【００２２】
図２、図３に示すように、空気調和装置１００の室内機１０２は、吸込口１ａと吹出口１ｂとを有する筐体１を備える。筐体１は、室内機本体２と、意匠部品となる正面パネル３とで構成されている。吸込口１ａは、室内機１０２周囲の空気を室内機１０２内部へ吸込む。吹出口１ｂは、室内機１０２内部へ吸込んだ空気を室内機１０２外部へ吹出させる。
【００２３】
図３に示すように、空気調和装置１００の室内機１０２は、吸込口１ａと吹出口１ｂとを連通する第１風路４を備える。第１風路４は、前側吹出風路面部１ｃと後側吹出風路面部１ｄに隔てられた空間として形成されている。
【００２４】
空気調和装置１００の室内機１０２は、室内機１０２周囲から吸込口１ａを通って室内機１０２内部に吸込まれた空気と冷媒との熱交換を行う室内熱交換器１０９を備える。また、室内熱交換器１０９にて熱交換された空気を吹出口１ｂへ送り出すクロスフローファン５を備える。さらに、クロスフローファン５を回転させる図示しないファンモータを備える。ファンモータに駆動されたクロスフローファン５が室内機１０２内部にて生成された空調空気を室内機１０２外部へ送風し、室内機１０２が据付けされた室内の自在な空調を実現している。なお、ここでは、送風ファンとして、クロスフローファン５を例に挙げた。しかし、これに限られない。送風ファンは、プロペラファンなどでもよい。
【００２５】
空気調和装置１００の室内機１０２は、第１上下風向板６ａ及び第２上下風向板６ｂを備える。第１、第２上下風向板６ａ、６ｂは、吹出口１ｂに配置されている。第１、第２上下風向板６ａ、６ｂは、室内機１０２内部より送風される空調空気の上下方向の風向きを自在に変更する。第１上下風向板６ａは、第２上下風向板６ｂの上側に配置されている。なお、上下風向板６ａ、６ｂは、２つに限られず、１つ以上設けられるとよい。
【００２６】
空気調和装置１００の室内機１０２は、左右風向板７を備える。左右風向板７は、第１、第２上下風向板６ａ、６ｂよりも奥側の吹出口１ｂに配置されている。左右風向板７には、左右方向に並列して複数の送風板が配列されている。左右風向板７は、室内機１０２内部より送風される空調空気の左右方向の風向きを自在に変更する。
【００２７】
第１上下風向板６ａは、第１回動軸８ａを中心に上下方向に自在に回動できる。第１回動軸８ａは、第１上下風向板６ａの送風案内面６ａ１から筐体１側に離間して形成されている。第２上下風向板６ｂは、第２回動軸８ｂを中心に上下方向に自在に回動できる。第２回動軸８ｂは、第２上下風向板６ｂの送風案内面６ｂ１から筐体１側に離間して形成されている。
【００２８】
筐体１の左右側に取り付けられた図示しない駆動モータは、それぞれの第１、第２上下風向板６ａ、６ｂの第１、第２回動軸８ａ、８ｂに１つずつ接続されている。駆動モータが動作することにより、第１、第２上下風向板６ａ、６ｂが上下方向へ自在に回動される。これにより、室内機１０２内部で生成された空調空気は、それぞれで独立して上下方向へ自在に吹き分けできる。
【００２９】
＜吹出口１ｂの周辺構成＞
図４は、本発明の実施の形態１に係る空気調和装置１００の室内機１０２の図２のＡ部を拡大して示す斜視図である。図４に示すように、吹出口１ｂの図示右端部には、第１風路４に隣接して吸込口１ａから遮蔽され、吹出し風が吹出されない第２風路である第２風路９が形成されている。第２風路９は、筐体１の内側に凹んだ凹部空間を形成している。第２風路９内には、第１、第２上下風向板６ａ、６ｂの左右方向端部に設けられた第１、第２回動軸８ａ、８ｂがそれぞれ配置されている。第１、第２回動軸８ａ、８ｂのそれぞれは、第１、第２上下風向板６ａ、６ｂの送風案内面６ａ１、６ｂ１から左右方向に直交する方向に延びた支持部１０ａ、１０ｂを介して筐体１側に離間して形成されている。
【００３０】
筐体１の内部右側に電装品箱が配置されている関係上、吹出口１ｂの右側端部には、吹出し風が吹出されない第２風路９が形成されている。第２風路９は、吹出口１ｂの第１風路４の側壁１１を短縮して形成される。このため、第１風路４の長さが短くなっている。短い風路長に起因し、動圧上昇に伴いファンモータ入力あるいは騒音が増加し、送風性能が悪化する課題があった。しかし、実施の形態１では、後述するリブ１２ａ、１２ｂを設けることにより、この課題を解決している。
【００３１】
＜リブ１２ａ、１２ｂの構成＞
図５は、本発明の実施の形態１に係る空気調和装置１００の室内機１０２を示す図４の矢印Ｂからの矢視図である。図４、図５に示すように、第１、第２上下風向板６ａ、６ｂの左右幅は、第１風路４及び第２風路９に至る長さである。第１、第２上下風向板６ａ、６ｂの送風案内面６ａ１、６ｂ１における第１風路４と第２風路９との境界に、第１風路４の風の流れ方向に立設したリブ１２ａ、１２ｂを有する。ここで、送風案内面６ａ１、６ｂ１は、第１、第２上下風向板６ａ、６ｂの筐体１から開いたときの上面である。そして、図４に示すように、リブ１２ａ、１２ｂは、第１、第２上下風向板６ａ、６ｂの送風案内面６ａ１、６ｂ１の双方に設けられている。
【００３２】
図５に示すように、双方のリブ１２ａ、１２ｂの横断面形状は、台形形状である。双方のリブ１２ａ、１２ｂは、第１、第２上下風向板６ａ、６ｂの送風案内面６ａ１、６ｂ１における風上端から風下端に至る全体に形成されている。
【００３３】
図６は、本発明の実施の形態１に係る空気調和装置１００の室内機１０２を示す図５の矢印Ｃからの矢視図である。図６に示すように、双方のリブ１２ａ、１２ｂは、第１風路４と第２風路９との境界上に第１風路４と第２風路９とにわたって設けられる。双方のリブ１２ａ、１２ｂは、上面視にて風上側から風下側に筐体１の左右方向外側に向かって傾斜している。双方のリブ１２ａ、１２ｂにおける第１風路４の風上側から風下側に至る筐体１の奥側の第１風路４の側壁端１１ａから正面側に真っ直ぐに延びる仮想線Ｌに対する傾斜角度θは、５０°＜θ＜９０°を満たす。このように、正面側の第１風路４の幅が広がることにより、ディフューズ機能を持たせている。
【００３４】
図７は、本発明の実施の形態１に係る空気調和装置１００の室内機１０２を示す図４の矢印Ｄからの矢視図である。図８は、本発明の実施の形態１に係る空気調和装置１００の室内機１０２おける第１、第２上下風向板６ａ、６ｂが全閉した状態を示す図４の矢印Ｄからの矢視図である。
【００３５】
図７に示すように、双方のリブ１２ａ、１２ｂは、第１、第２上下風向板６ａ、６ｂが全開の状態で、第１風路４の側壁１１に重ならずに側壁１１から筐体１の正面方向に連続する形状である。双方のリブ１２ａ、１２ｂは、第１、第２上下風向板６ａ、６ｂが全開の状態で、第１風路４の側壁端１１ａと第１、第２上下風向板６ａ、６ｂのそれぞれの送風案内面６ａ１、６ｂ１とにわたる形状である。双方のリブ１２ａ、１２ｂは、第１、第２上下風向板６ａ、６ｂが全開の状態で、第１風路４の側壁端１１ａに対する対向辺６ａ２、６ｂ２を側壁端１１ａと隣接して平行に形成されている。
【００３６】
図７、図８に示すように、第１、第２回動軸８ａ、８ｂは、第１、第２上下風向板６ａ、６ｂの送風案内面６ａ１、６ｂ１から左右方向に直交する方向に延びた支持部１０ａ、１０ｂを介して筐体１側に離間して形成されている。第１、第２回動軸８ａ、８ｂは、第１、第２上下風向板６ａ、６ｂが全開の状態で、第１、第２上下風向板６ａ、６ｂの送風案内面６ａ１、６ｂ１における風上端である対向辺６ａ２、６ｂ２を第１風路４の側壁端１１ａに隣接させるように回動する。このように、第１、第２上下風向板６ａ、６ｂは、吹出し圧損が最も小さい全開状態の上下風向位置にて、第１風路４の側壁１１と連なることにより、より効果的に静圧が回復され、ファンモータ入力あるいは騒音が低減できる。
【００３７】
図９は、本発明の実施の形態１に係る空気調和装置１００の室内機１０２おける第１、第２上下風向板６ａ、６ｂが全閉した状態と全開した状態とにわたる回動範囲１３ａ、１３ｂを示す図４の矢印Ｄからの矢視図である。図９に示すように、双方のリブ１２ａ、１２ｂは、隣接部品と干渉しない最大形状である。第１、第２上下風向板６ａ、６ｂにそれぞれ設けられた双方のリブ１２ａ、１２ｂは、第１、第２上下風向板６ａ、６ｂの双方の回動範囲１３ａ、１３ｂ内で干渉しない形状である。具体的には、第１、第２上下風向板６ａ、６ｂは、それぞれの回動範囲１３ａ、１３ｂの外郭を形成する回動軌跡から３ｍｍの隙間を確保して回動する。
【００３８】
＜実施の形態１の効果＞
実施の形態１によれば、空気調和装置１００の室内機１０２は、吸込口１ａと吹出口１ｂとを有する筐体１を備える。空気調和装置１００の室内機１０２は、吹出口１ｂに配置された１以上の第１、第２上下風向板６ａ、６ｂを備える。空気調和装置１００の室内機１０２は、吸込口１ａと吹出口１ｂとを連通する第１風路４を備える。空気調和装置１００の室内機１０２は、吹出口１ｂの左右端部のうち少なくとも一方に形成され、第１風路４に隣接した第２風路９を備える。第１、第２上下風向板６ａ、６ｂの左右幅は、第１風路４及び第２風路９に至る長さである。空気調和装置１００の室内機１０２は、第１、第２上下風向板６ａ、６ｂの送風案内面６ａ１、６ｂ１における第１風路４と第２風路９との境界に、第１風路４の風の流れ方向に立設したリブ１２ａ、１２ｂを有する。
【００３９】
この構成によれば、リブ１２ａ、１２ｂが第１風路４の側壁１１の機能を担うことにより、第１風路４が第２風路９と連通されることによって短くなっていた第１風路４の側壁１１からその側壁１１の風下側に仕切りが延長できる。そのため、第１風路４の吹出し流れがより整流されて減速し、第１風路４にて静圧が回復できる。一方、第２風路９にわたって第１、第２上下風向板６ａ、６ｂの左右方向長さが拡大された状態がそのまま維持できる。これにより、空気調和装置１００の室内機１０２は、左右への吹き分け性能が向上される状態が維持できるとともに、吹出口１ｂの外観の非対称性が緩和されて外観意匠性が向上された状態が維持できる。したがって、外観意匠性及び左右への吹き分け性能が悪化せずに、第１風路４内の静圧を回復させてファンモータ入力あるいは騒音が低減し、送風性能が改善できる。
【００４０】
実施の形態１によれば、リブ１２ａ、１２ｂは、境界上に第１風路４と第２風路９とにわたって設けられている。
【００４１】
この構成によれば、リブ１２ａ、１２ｂが第１風路４の側壁１１の機能を担うことにより、短くなっていた第１風路４の側壁１１からその側壁１１の風下側の境界上に側壁１１と連続するように仕切りが延長できる。
【００４２】
実施の形態１によれば、リブ１２ａ、１２ｂは、風上側から風下側に筐体１の左右方向外側に向かって傾斜している。
【００４３】
この構成によれば、リブ１２ａ、１２ｂが筐体１の左右方向外側に向かって広がることにより、リブ１２ａ、１２ｂに沿って吹出し流れが筐体１の左右方向外側に向かえる。これにより、効果的にファンモータ入力あるいは騒音が低減できる。
【００４４】
実施の形態１によれば、リブ１２ａ、１２ｂにおける第１風路４の風上側から風下側に至る仮想線Ｌに対する傾斜角度θは、５０°＜θ＜９０°を満たす。
【００４５】
この構成によれば、傾斜角度θが５０°＜θを満たすことにより、吹出し流れがリブ１２ａ、１２ｂから剥離せず、乱流渦が発生せず、入力損失が増加しない。また、傾斜角度θがθ＜９０°を満たすことにより、リブ１２ａ、１２ｂに沿って吹出し流れが筐体１の左右方向外側に向かえ、効果的にファンモータ入力あるいは騒音が低減できる。
【００４６】
実施の形態１によれば、リブ１２ａ、１２ｂは、第１、第２上下風向板６ａ、６ｂが全開の状態で、第１風路４の側壁１１に重ならずに側壁１１から筐体１の正面方向に連続する形状である。
【００４７】
この構成によれば、リブ１２ａ、１２ｂが第１風路４の側壁１１の機能を担うことにより、短くなっていた第１風路４の側壁１１からその側壁１１の風下側に無駄に大きくならずに連続して仕切りが延長できる。
【００４８】
実施の形態１によれば、リブ１２ａ、１２ｂは、第１、第２上下風向板６ａ、６ｂが全開の状態で、第１風路４の側壁端１１ａと第１、第２上下風向板６ａ、６ｂの送風案内面６ａ１、６ｂ１とにわたる形状である。
【００４９】
この構成によれば、リブ１２ａ、１２ｂが第１風路４の側壁１１の機能を担うことにより、短くなっていた第１風路４の側壁１１からその側壁１１の風下側に無駄に大きくならずに連続して仕切りが延長できる。
【００５０】
実施の形態１によれば、リブ１２ａ、１２ｂは、第１、第２上下風向板６ａ、６ｂが全開の状態で、第１風路４の側壁端１１ａに対する対向辺６ａ２、６ｂ２を側壁端１１ａと隣接して平行に形成されている。
【００５１】
この構成によれば、リブ１２ａ、１２ｂが第１風路４の側壁１１の機能を担う。そして、短くなっていた第１風路４の側壁１１からその側壁１１の風下側に、第１風路４の側壁端１１ａからリブ１２ａ、１２ｂまでの間に限りなく隙間を作らずに連続して仕切りが延長できる。
【００５２】
実施の形態１によれば、リブ１２ａ、１２ｂは、第１、第２上下風向板６ａ、６ｂの送風案内面６ａ１、６ｂ１における風上端である対向辺６ａ２、６ｂ２から風下端に至る全体に形成されている。
【００５３】
この構成によれば、リブ１２ａ、１２ｂが大きく形成でき、リブ１２ａ、１２ｂが第１風路４の側壁１１の機能を担う。そして、第２風路９が形成されることによって短くなっていた第１風路４の側壁１１からその側壁１１の風下側に連続して仕切りが広い面積で延長できる。これにより、第１風路４の吹出し流れがより整流されて減速し、静圧がより回復できる。
【００５４】
実施の形態１によれば、リブ１２ａ、１２ｂは、隣接部品と干渉しない最大形状である。
【００５５】
この構成によれば、リブ１２ａ、１２ｂが大きく形成でき、リブ１２ａ、１２ｂが第１風路４の側壁１１の機能を担う。そして、第２風路９が形成されることによって短くなっていた第１風路４の側壁１１からその側壁１１の風下側に連続して仕切りが広い面積で延長できる。これにより、第１風路４の吹出し流れがより整流されて減速し、静圧がより回復できる。
【００５６】
実施の形態１によれば、第２風路９は、筐体１の内側に凹んだ凹部空間を形成している。第２風路９内には、第１、第２上下風向板６ａ、６ｂの左右方向端部に設けられた第１、第２回動軸８ａ、８ｂが配置されている。第１、第２回動軸８ａ、８ｂは、第１、第２上下風向板６ａ、６ｂの送風案内面６ａ１、６ｂ１から筐体１側に離間して形成され、第１、第２上下風向板６ａ、６ｂが全開の状態で、第１、第２上下風向板６ａ、６ｂの送風案内面６ａ１、６ｂ１における風上端である対向辺６ａ２、６ｂ２を第１風路４の側壁端１１ａに隣接させるように回動する。
【００５７】
この構成によれば、第１、第２回動軸８ａ、８ｂが第１、第２上下風向板６ａ、６ｂを全開の状態に回動させると、第１、第２上下風向板６ａ、６ｂの送風案内面６ａ１、６ｂ１における風上端である対向辺６ａ２、６ｂ２が第１風路４の側壁端１１ａに隣接する。これにより、リブ１２ａ、１２ｂによって第１風路４の側壁１１からその側壁１１の風下側に、第１風路４の側壁端１１ａとリブ１２ａ、１２ｂとの間に隙間を最大限少なくして連続して仕切りが延長できる。
【００５８】
実施の形態１によれば、第１、第２上下風向板６ａ、６ｂは、２つ設けられている。第１、第２上下風向板６ａ、６ｂにそれぞれ設けられたリブ１２ａ、１２ｂの双方は、第１、第２上下風向板６ａ、６ｂの双方の回動範囲１３ａ、１３ｂ内で干渉しない形状である。
【００５９】
この構成によれば、双方のリブ１２ａ、１２ｂが第１風路４の側壁１１の機能を担うことにより、短くなっていた第１風路４の側壁１１からその側壁１１の風下側に連続して仕切りがより面積を広く延長できる。これにより、第１風路４の吹出し流れがより整流されて減速し、静圧がより回復できる。
【００６０】
実施の形態１によれば、空気調和装置１００は、上記の空気調和装置１００の室内機１０２を備える。
【００６１】
この構成によれば、上記の空気調和装置１００の室内機１０２を備える空気調和装置１００では、外観意匠性及び左右への吹き分け性能が悪化せずに、第１風路４内の静圧を回復させてファンモータ入力あるいは騒音が低減し、送風性能が改善できる。
【符号の説明】
【００６２】
１  筐体、１ａ  吸込口、１ｂ  吹出口、１ｃ  前側吹出風路面部、１ｄ  後側吹出風路面部、２  室内機本体、３  正面パネル、４  第１風路、５  クロスフローファン、６ａ  第１上下風向板、６ａ１  送風案内面、６ａ２  対向辺、６ｂ  第２上下風向板、６ｂ１  送風案内面、６ｂ２  対向辺、７  左右風向板、８ａ  第１回動軸、８ｂ  第２回動軸、９  第２風路、１０ａ  支持部、１０ｂ  支持部、１１  側壁、１１ａ  側壁端、１２ａ  リブ、１２ｂ  リブ、１３ａ  回動範囲、１３ｂ  回動範囲、１００  空気調和装置、１０１  室外機、１０２  室内機、１０３  ガス冷媒配管、１０４  液冷媒配管、１０５  圧縮機、１０６  四方弁、１０７  室外熱交換器、１０８  膨張弁、１０９  室内熱交換器。
【図１】
2019180781.tif 000003
【図２】
2019180781.tif 000004
【図３】
2019180781.tif 000005
【図４】
2019180781.tif 000006
【図５】
2019180781.tif 000007
【図６】
2019180781.tif 000008
【図７】
2019180781.tif 000009
【図８】
2019180781.tif 000010
【図９】
2019180781.tif 000011
【手続補正書】
【提出日】令和2年7月8日(2020.7.8)
【手続補正１】
【補正対象書類名】明細書
【補正対象項目名】０００８
【補正方法】変更
【補正の内容】
【０００８】
本発明に係る空気調和装置の室内機は、吸込口と吹出口とを有する筐体と、前記吹出口に配置された１以上の上下風向板と、前記吸込口と前記吹出口とを連通する第１風路と、前記吹出口の左右端部のうち少なくとも一方に形成され、前記第１風路に隣接した第２風路と、を備え、前記上下風向板の左右幅は、前記第１風路及び前記第２風路に至る長さであり、前記上下風向板の送風案内面における前記第１風路と前記第２風路との境界に、前記第１風路の風の流れ方向に立設したリブを有し、前記リブは、前記上下風向板が全開の状態で、前記第１風路の側壁端と前記上下風向板の前記送風案内面とにわたる形状であり、前記リブは、上下風向板が全閉した状態と全開した状態とにわたる回動範囲内で隣接部品と干渉しない最大形状で前記第１風路の側壁から当該側壁の風下側に仕切りを延長する。
【手続補正２】
【補正対象書類名】特許請求の範囲
【補正対象項目名】全文
【補正方法】変更
【補正の内容】
【特許請求の範囲】
【請求項１】
吸込口と吹出口とを有する筐体と、
前記吹出口に配置された１以上の上下風向板と、
前記吸込口と前記吹出口とを連通する第１風路と、
前記吹出口の左右端部のうち少なくとも一方に形成され、前記第１風路に隣接した第２風路と、
を備え、
前記上下風向板の左右幅は、前記第１風路及び前記第２風路に至る長さであり、
前記上下風向板の送風案内面における前記第１風路と前記第２風路との境界に、前記第１風路の風の流れ方向に立設したリブを有し、
前記リブは、前記上下風向板が全開の状態で、前記第１風路の側壁端と前記上下風向板の前記送風案内面とにわたる形状であり、
前記リブは、上下風向板が全閉した状態と全開した状態とにわたる回動範囲内で隣接部品と干渉しない最大形状で前記第１風路の側壁から当該側壁の風下側に仕切りを延長する空気調和装置の室内機。
【請求項２】
前記リブは、前記境界上に前記第１風路と前記第２風路とにわたって設けられる請求項１に記載の空気調和装置の室内機。
【請求項３】
前記リブは、風上側から風下側に前記筐体の左右方向外側に向かって傾斜する請求項１又は２に記載の空気調和装置の室内機。
【請求項４】
前記リブにおける前記第１風路の風上側から風下側に至る仮想線に対する傾斜角度θは、５０°＜θ＜９０°を満たす請求項３に記載の空気調和装置の室内機。
【請求項５】
前記リブは、前記上下風向板が全開の状態で、前記第１風路の側壁に重ならずに前記側壁から前記筐体の正面方向に連続する形状である請求項１〜４のいずれか１項に記載の空気調和装置の室内機。
【請求項６】
前記リブは、前記上下風向板が全開の状態で、前記第１風路の側壁端に対する対向辺を前記側壁端と隣接して平行に形成される請求項１〜５のいずれか１項に記載の空気調和装置の室内機。
【請求項７】
前記リブは、前記上下風向板の前記送風案内面における風上端から風下端に至る全体に形成される請求項１〜６のいずれか１項に記載の空気調和装置の室内機。
【請求項８】
前記第２風路は、前記筐体の内側に凹んだ凹部空間を形成し、
前記第２風路内には、前記上下風向板の左右方向端部に設けられた回動軸が配置され、
前記回動軸は、前記上下風向板の前記送風案内面から前記筐体側に離間して形成され、前記上下風向板が全開の状態で、前記上下風向板の前記送風案内面における風上端を前記第１風路の側壁端に隣接させるように回動する請求項１〜７のいずれか１項に記載の空気調和装置の室内機。
【請求項９】
前記上下風向板は、２つ設けられ、
２つの前記上下風向板にそれぞれ設けられた前記リブの双方は、２つの前記上下風向板の双方の回動範囲内で干渉しない形状である請求項１〜８のいずれか１項に記載の空気調和装置の室内機。
【請求項１０】
請求項１〜９のいずれか１項に記載の空気調和装置の室内機を備える空気調和装置。
【国際調査報告】
2019180781.tif 000012
2019180781.tif 000013
2019180781.tif 000014
2019180781.tif 000015